(57)【特許請求の範囲】
【請求項１】
無線セルラ通信システムに用いられる第１のユーザ装置であって、
装置間（Ｄ２Ｄ）リンクを用いて第２のユーザ装置と直接的なＤ２Ｄ通信を行う制御部を備え、
前記制御部は、
上りリンクリソースを要求するスケジューリング要求を物理上りリンク制御チャネル（ＰＵＣＣＨ）によって基地局に送信し、
前記基地局から割り当てられた前記上りリンクリソースを用いて、前記Ｄ２Ｄリンク上で送信するデータの量を示すＤ２Ｄバッファステータス報告を前記基地局に送信し、
前記Ｄ２Ｄバッファステータス報告に応じて前記基地局から割り当てられたＤ２Ｄリソースを示す第１のＤ２Ｄ制御情報を、物理下りリンク制御チャネル（ＰＤＣＣＨ）によって前記基地局から受信し、
前記第１のＤ２Ｄ制御情報に基づいて、前記第１のＤ２Ｄ制御情報の少なくとも一部を含む第２のＤ２Ｄ制御情報をＤ２Ｄ制御チャネル（Ｄ２ＤＣＣＨ）によって前記第２のユーザ装置に送信し、
前記第１のＤ２Ｄ制御情報に基づいて、前記データをＤ２Ｄデータチャネル（Ｄ２ＤＤＣＨ）によって前記第２のユーザ装置に送信する
第１のユーザ装置。
【請求項２】
前記Ｄ２Ｄリソースは、前記無線セルラ通信システムにおいて規定された上りリンクリソースの一部である
請求項１に記載の第１のユーザ装置。
【請求項３】
前記第１のＤ２Ｄ制御情報は、前記Ｄ２Ｄリンク用の時間・周波数リソース情報、前記Ｄ２Ｄリンク用のＭＣＳ、及び前記Ｄ２Ｄリンク用の電力制御コマンドを含む
請求項１に記載の第１のユーザ装置。
【請求項４】
前記制御部は、前記Ｄ２Ｄバッファステータス報告を物理上りリンク共有チャネル（ＰＵＳＣＨ）によって送信する
請求項１に記載の第１のユーザ装置。
【請求項５】
無線セルラ通信システムに用いられる第１のユーザ装置において、装置間（Ｄ２Ｄ）リンクを用いて第２のユーザ装置と直接的なＤ２Ｄ通信を行うための方法であって、
上りリンクリソースを要求するスケジューリング要求を物理上りリンク制御チャネル（ＰＵＣＣＨ）によって基地局に送信し、
前記基地局から割り当てられた前記上りリンクリソースを用いて、前記Ｄ２Ｄリンク上で送信するデータの量を示すＤ２Ｄバッファステータス報告を前記基地局に送信し、
前記Ｄ２Ｄバッファステータス報告に応じて前記基地局から割り当てられたＤ２Ｄリソースを示す第１のＤ２Ｄ制御情報を、物理下りリンク制御チャネル（ＰＤＣＣＨ）によって前記基地局から受信し、
前記第１のＤ２Ｄ制御情報に基づいて、前記第１のＤ２Ｄ制御情報の少なくとも一部を含む第２のＤ２Ｄ制御情報をＤ２Ｄ制御チャネル（Ｄ２ＤＣＣＨ）によって前記第２のユーザ装置に送信し、
前記第１のＤ２Ｄ制御情報に基づいて、前記データをＤ２Ｄデータチャネル（Ｄ２ＤＤＣＨ）によって前記第２のユーザ装置に送信する
方法。
【請求項６】
無線セルラ通信システムに用いられる基地局であって、
装置間（Ｄ２Ｄ）リンクを用いて第１及び第２のユーザ装置が行う直接的なＤ２Ｄ通信を制御する制御部を備え、
前記制御部は、
上りリンクリソースを要求するスケジューリング要求を前記第１のユーザ装置から物理上りリンク制御チャネル（ＰＵＣＣＨ）によって受信し、
前記スケジューリング要求に応じて前記第１のユーザ装置に前記上りリンクリソースを割り当て、
前記上りリンクリソースを用いて前記第１のユーザ装置から送信され、前記Ｄ２Ｄリンク上で送信するデータの量を示すＤ２Ｄバッファステータス報告を受信し、
前記Ｄ２Ｄバッファステータス報告に応じてＤ２Ｄリソースを割り当て、
前記Ｄ２Ｄリソースを示す第１のＤ２Ｄ制御情報を、物理下りリンク制御チャネル（ＰＤＣＣＨ）によって前記第１のユーザ装置に送信し、
前記第１のＤ２Ｄ制御情報は、前記第１のユーザ装置からＤ２Ｄ制御チャネル（Ｄ２ＤＣＣＨ）によって前記第２のユーザ装置に転送される第２のＤ２Ｄ制御情報を含む
基地局。
【請求項７】
前記Ｄ２Ｄリソースは、前記無線セルラ通信システムにおいて規定された上りリンクリソースの一部である
請求項６に記載の基地局。
【請求項８】
前記第１のＤ２Ｄ制御情報は、前記Ｄ２Ｄリンク用の時間・周波数リソース情報、前記Ｄ２Ｄリンク用のＭＣＳ、及び前記Ｄ２Ｄリンク用の電力制御コマンドを含む
請求項６に記載の基地局。
【請求項９】
前記制御部は、前記Ｄ２Ｄバッファステータス報告を物理上りリンク共有チャネル（ＰＵＳＣＨ）によって受信する
請求項６に記載の基地局。
【請求項１０】
無線セルラ通信システムに用いられる基地局において、装置間（Ｄ２Ｄ）リンクを用いて第１及び第２のユーザ装置が行う直接的なＤ２Ｄ通信を制御するための方法であって、
上りリンクリソースを要求するスケジューリング要求を前記第１のユーザ装置から物理上りリンク制御チャネル（ＰＵＣＣＨ）によって受信し、
前記スケジューリング要求に応じて前記第１のユーザ装置に前記上りリンクリソースを割り当て、
前記上りリンクリソースを用いて前記第１のユーザ装置から送信され、前記Ｄ２Ｄリンク上で送信するデータの量を示すＤ２Ｄバッファステータス報告を受信し、
前記Ｄ２Ｄバッファステータス報告に応じてＤ２Ｄリソースを割り当て、
前記Ｄ２Ｄリソースを示す第１のＤ２Ｄ制御情報を、物理下りリンク制御チャネル（ＰＤＣＣＨ）によって前記第１のユーザ装置に送信し、
前記第１のＤ２Ｄ制御情報は、前記第１のユーザ装置からＤ２Ｄ制御チャネル（Ｄ２ＤＣＣＨ）によって前記第２のユーザ装置に転送される第２のＤ２Ｄ制御情報を含む
方法。
【発明の詳細な説明】
【優先権主張】
【０００１】
本願は、事件整理番号ＴＰＲＯ  ００２１３  ＵＳで、２０１１年１１月２９日に出願された「マクロセル下りリンクリソースを使用するＰ２Ｐ通信のためのサウンディング参照信号送信（ＳＯＵＮＤＩＮＧ  ＲＥＦＥＲＥＮＣＥ  ＳＩＧＮＡＬＳ  ＴＲＡＮＳＭＩＳＳＩＯＮＳ  ＦＯＲ  Ｐ２Ｐ  ＣＯＭＭＵＮＩＣＡＴＩＯＮ  ＵＳＩＮＧ  ＭＡＣＲＯＣＥＬＬ  ＤＯＷＮＬＩＮＫ  ＲＥＳＯＵＲＣＥＳ）」と題された仮出願第６１／５６４，５８４号、事件整理番号ＴＰＲＯ  ００２１２  ＵＳで、２０１１年１１月１４日に出願された「マクロセル下りリンクリソースを使用するＰ２Ｐ通信のためのサウンディング参照信号送信（ＳＯＵＮＤＩＮＧ  ＲＥＦＥＲＥＮＣＥ  ＳＩＧＮＡＬＳ  ＴＲＡＮＳＭＩＳＳＩＯＮＳ  ＦＯＲ  Ｐ２Ｐ  ＣＯＭＭＵＮＩＣＡＴＩＯＮ  ＵＳＩＮＧ  ＭＡＣＲＯＣＥＬＬ  ＤＯＷＮＬＩＮＫ  ＲＥＳＯＵＲＣＥＳ）」と題された仮出願第６１／５５９，４１２号、及び、事件整理番号ＴＰＲＯ  ００２１１で、２０１１年１１月１４日に出願された「マクロセル下りリンクリソースを使用するＰ２Ｐ通信（Ｐ２Ｐ  ＣＯＭＭＵＮＩＣＡＴＩＯＮ  ＵＳＩＮＧ  ＭＡＣＲＯＣＥＬＬ  ＤＯＷＮＬＩＮＫ  ＲＥＳＯＵＲＣＥＳ）」と題された仮出願第６１／５５９，３９３号、の優先権を主張し、これらに関する全てが譲受人に譲渡され、参照によりこれらの全体が本明細書に組み込まれる。
【特許に関する同時継続出願の相互参照】
【０００２】
本願は、本願と同時に出願された、事件整理番号ＴＵＴＬ  ００２１２で、同日に出願された「マクロセル通信リソースを使用する端末間サウンディング参照信号の送信（ＴＲＡＮＳＭＩＳＳＩＯＮ  ＯＦ  ＤＥＶＩＣＥ  ＴＯ  ＤＥＶＩＣＥ  ＳＯＵＮＤＩＮＧ  ＲＥＦＥＲＥＮＣＥ  ＳＩＧＮＡＬＳ  ＵＳＩＮＧ  ＭＡＣＲＯＣＥＬＬ  ＣＯＭＭＵＮＩＣＡＴＩＯＮ  ＲＥＳＯＵＲＣＥＳ）」と題されたＰＣＴ出願に関連し、これに関して譲受人に譲渡され、参照によりこれの全体が本明細書に組み込まれる。
【技術分野】
【０００３】
この発明は、総じて、無線通信に関し、特に、マクロセル通信リソースを使用する端末間（Ｄ２Ｄ）通信管理に関する。
【背景技術】
【０００４】
多くの無線通信システムは、基地局を利用して、無線通信デバイスが特定の地理的サービスエリアを提供する基地局と通信する場所である地理的サービスエリアを提供する。基地局どうしは、無線通信デバイスと他のデバイスとの間に通信リンクを張ることが可能なネットワーク内で接続される。ある状況では、通信リンクが、互いに近い無線通信デバイス間に存在する。この状況では、その２つの無線デバイス間で直接通信リンクを持つ方が、基地局を介した通信が行われるよりも好ましい場合がある。そのようなデバイス間での直接通信は、端末間（Ｄ２Ｄ）通信又はピアツーピア（Ｐ２Ｐ）通信と称されることが多い。
【発明の概要】
【０００５】
マクロセル通信リソースは、２つの無線通信ユーザ装置（ＵＥ）デバイス間の端末間（Ｄ２Ｄ）通信に割り当てられる。通信システムにおけるスケジューラは、基地局からの信号の下りリンク送信にスケジュールされた下りリンク通信リソースをスケジュールし（割り当て）、無線通信ＵＥデバイスから基地局への上りリンク通信に、スケジュールされた上りリンク通信リソースをスケジュールし（割り当て）、無線通信ＵＥデバイス間のＤ２Ｄ通信にＤ２Ｄ通信リソースをスケジュールする（割り当てる）。スケジュールされた下りリンク通信リソースは、基地局からの下りリンク通信のために通信仕様によって規定された下りリンク通信リソースから選択され、スケジュールされた上りリンク通信リソースは、基地局への上りリンク通信のために通信仕様によって規定された上りリンク通信リソースから選択される。Ｄ２Ｄ通信リソースは、規定された下りリンク通信リソース又は規定された上りリンク通信リソースのいずれかから選択される。基地局は、少なくとも無線通信ＵＥデバイスの一つに通信リソース割当（ＣＲＡ）情報を送り、通信リソース割当情報は、端末間（Ｄ２Ｄ）通信リンクを介して通信する無線通信ＵＥデバイスが使用するＤ２Ｄ通信リソースを特定する。
【図面の簡単な説明】
【０００６】
図１Ａは、マクロセル通信リソースが端末間（Ｄ２Ｄ）通信に使用される場合の無線セルラ通信システムのブロック図である。
【０００７】
図１Ｂは、下りリンク通信リソースが端末間（Ｄ２Ｄ）通信に使用される場合の無線セルラ通信システムのブロック図である。
【０００８】
図２は、端末間（Ｄ２Ｄ）リンクが確立される場合の一例のためのメッセージタイミング図である。
【０００９】
図３は、下りリンク周波数帯における時間・周波数通信リソースの一例のグラフ表示である。
【００１０】
図４は、３ＧＰＰ  ＬＴＥ通信仕様に従うサブフレームの図である。
【００１１】
図５は、３ＧＰＰ  ＬＴＥ通信仕様に従って他の方法で動作するシステムにおいて用いられる端末間（Ｄ２Ｄ）チャネルを含むサブフレームの一例の図である。
【００１２】
図６は、３ＧＰＰ  ＬＴＥ通信仕様に従って動作するシステムにおいて端末間（Ｄ２Ｄ）リンクが確立される場合の一例のメッセージタイミング図である。
【００１３】
図７は、３ＧＰＰ  ＬＴＥ通信仕様に従う基地局（ｅＮＢ）及び無線通信デバイス（ＵＥ）からの送信信号の図である。
【００１４】
図８は、無線通信ＵＥデバイスにおける送受信機の一例のブロック図である。
【００１５】
図９は、送受信機の実施の一例のブロック図である。
【発明を実施するための形態】
【００１６】
通信仕様は、基地局と無線通信ＵＥデバイスとの間の通信のためのマクロセル通信リソースを規定する。マクロセル通信リソースは、通信仕様によって規定された下りリンク通信リソースと、通信仕様によって規定された上りリンク通信リソースとを含む。規定された下りリンク通信リソースから選択され、且つ、下りリンク通信に割り当てられた（スケジュールされた）下りリンク通信リソースは、スケジュールされた下りリンク通信リソースと称される。規定された上りリンク通信リソースから選択され、且つ、上りリンク通信に割り当てられた（スケジュールされた）上りリンク通信リソースは、予定された上りリンクリソース称される。発明の実施形態に従って、マクロセル通信リソースは、端末間（Ｄ２Ｄ）通信に割り当てられる（スケジュールされる）。従って、規定された下りリンク通信リソース又は規定された上りリンク通信リソースのいずれか一方は、Ｄ２Ｄ通信のためにスケジュールされる。
【００１７】
図１Ａは、マクロセル通信リソースが端末間（Ｄ２Ｄ）通信に使用される場合の無線セルラ通信システム１００のブロック図である。基地局１０２は、セルと称されることがある地理的サービスエリア内で、無線通信ＵＥデバイス１０４、１０６に無線通信サービスを提供する。それぞれの基地局は、一般的にバックホールを介して相互に接続され、広いエリアをカバーするサービスエリアを提供する。通信システム１００を参照して説明されるブロックの様々な機能及び動作は、任意の数のデバイス、回路、又は素子に実装されてもよい。２以上の機能ブロックは、単一デバイスに纏められてもよく、任意の単一デバイスで実行されると説明された機能は、いくつかのデバイスにわたって実装されてもよい。例えば、制御装置１０８の機能の少なくとも一部は、基地局１０４、１０６で実行されてもよい。セルラ通信システムは、通常、通信規格又は仕様に準拠することが求められる。第３世代パートナーシップ・プロジェクト・ロング・ターム・エボリューション（３ＧＰＰ  ＬＴＥ）通信仕様は、下りリンクでは直交周波数分割多重方式（ＯＦＤＭ）を利用し、且つ、上りリンクでは単一波周波数分割多元接続（ＳＣ−ＦＤＭＡ）を利用する無線通信デバイス（ユーザ装置（ＵＥ）デバイス）に基地局（ｅＮｏｄｅＢ）がサービスを提供するシステムのための仕様である。ここに記載の技術は、他の種類の通信システムに適用されてもよいが、ここで説明する例示的なシステムは、３ＧＰＰ  ＬＴＥ通信仕様に従って動作する。
【００１８】
基地局１０２は、ｅＮｏｄｅＢ又はｅＮＢと呼ばれることがある固定された送受信局であり、状況によって制御装置を含んでもよい。基地局１０２は、バックホール１１０を介して制御装置１０８に接続され、バックホール１１０は、有線、光学、及び／又は無線通信チャネルの任意の組み合わせを含んでもよい。ここでの例では、制御装置１０８は、移動管理エンティティ（ＭＭＥ）及びパケットゲートウェイ（Ｐ−ＧＷ）の機能性を含む。従って、制御装置１０８は、スケジューラ１１２を含む。例えば、スケジューラ１１２は、基地局１０２と無線通信デバイス１０４、１０６との間の通信だけでなく、無線通信デバイス１０４，１０６間の通信に、時間・周波数リソースを割り当てる。
【００１９】
無線（ＵＥ）通信デバイス１０４、１０６は、他の用語で呼ばれてもよいし、移動デバイス、無線デバイス、無線通信デバイス、移動無線デバイス、ＵＥ、ＵＥデバイスと呼ばれてもよい。無線通信デバイス１０４、１０６は、基地局との通信及びＤ２Ｄ設定における他の無線通信デバイスとの通信のための電子機器及びコードを含む。無線通信デバイスは、携帯電話、携帯端末（ＰＤＡ）、無線モデムカード、無線モデム、無線通信電子機器を備えたテレビ、ラップトップコンピュータ、デスクトップコンピュータ及び他のデバイスなどのデバイスを含んでもよい。従って、無線通信デバイス１０４は、電子デバイスを備えた無線通信電子機器の組み合わせによって構成されてもよい。例えば、無線通信デバイスは、電化製品、コンピュータ、テレビ、又はプールコントローラに接続された無線モデムを含んでもよい。
【００２０】
基地局１０２は、無線通信デバイス１０４、１０６と無線信号１１４、１１６、１１８、１２０をやり取りする無線送受信機を含む。基地局及び無線通信デバイス１０４、１０６からの送信信号は、シグナリング、プロトコル及び送信信号のパラメータを規定する通信仕様に準拠する。通信仕様は、通信のための厳格な規則を提供してもよいし、通信仕様に準拠しつつも具体的な実装が異なってもよい場合、一般的要求事項を提供してもよい。以下の説明は、３ＧＰＰロング・ターム・エボリューション（ＬＴＥ）通信仕様を対象にしているが、状況によっては、他の通信仕様で用いられてもよい。通信仕様は、少なくとも上りリンク及び下りリンク送信のためのデータチャネル及び制御チャネルを規定し、少なくとも基地局から無線通信デバイスへの物理下りリンク制御チャネルのためのタイミング及び周波数パラメータを明確化する。
【００２１】
マクロセル通信リソース１２１は、下りリンク信号１１４、１１６及び上りリンク信号１１８、１２０の送信に使用される。基地局１０２は、下りリンク通信のために確保され、且つ通信仕様によって規定された下りリンク通信リソースからスケジュールされた下りリンク通信リソースを使用して、下りリンク信号１１４、１１６を無線通信デバイス１０４、１０６に送信する。無線通信デバイスは、上りリンク通信のために確保され、且つ通信仕様によって規定された上りリンク通信リソースからスケジュールされた上りリンク通信リソースを使用して、上りリンク信号１１８、１２０を基地局に送信する。マクロセル通信リソース１２１は、時間で分割される周波数帯を含む。各周波数帯及び時間領域を、スケジューラ１１２によって特定することができ、且つ、各周波数帯及び時間領域を、基地局１０２から無線通信デバイス１０４、１０６に送られる制御信号で表すことができる。従って、通信仕様又は他のシステム規則は、下りリンクに適用可能な通信リソース及び上りリンクに適用可能な通信リソースを規定する。スケジューラ１１２は、干渉を最小化しながら効率的にリソースを利用するために、別の時間・周波数リソースを別のデバイスに割り当てる。その結果、一の無線通信デバイス１０４とやり取りされる信号１１４、１２０に使用されるスケジュールされたマクロセル通信リソースは、他の無線通信デバイス１０６とやり取りされる他の信号１１６、１１８に使用されるスケジュールされたマクロセル通信リソースと異なる。従って、ここで記載されるように、マクロセル通信リソース１２１は、仕様や通信システム規則によって通信のために確保された通信リソースである。また一方で、特定の信号を送信するためにスケジュールされたリソースは、確保されたマクロセル通信リソース１２１の一部であり、通常は、動作中に動的に変更される。
【００２２】
従来のシステムでは、スケジューラは、基地局と無線通信デバイスとの間の通信に時間・周波数リソースを割り当てる。また一方で、ここで記載される例では、スケジューラ１１２は、端末間（Ｄ２Ｄ）通信リンク１２４を確立して維持するために、無線通信デバイス１０４、１０６間の通信に時間・周波数リソース１２２（Ｄ２Ｄ通信リソース１２２）を同様に割り当てる（スケジュールする）。
【００２３】
２つの無線通信デバイスがＤ２Ｄ接続１２４を確立すべきとの決定に応じて、制御装置１０８は、通信リソース割当（ＣＲＡ）情報１２６を送ることによって、Ｄ２Ｄ時間・周波数リソース１２２を無線通信デバイス１０４、１０６に割り当てる。制御信号、メッセージ又はそれら２つの組み合わせを用いて、無線通信ＵＥデバイスに、ＣＲＡ情報１２６を伝えてもよい。加えて、第２無線通信ＵＥデバイスから要求されるＣＲＡ情報は、第１無線通信ＵＥデバイスに送られてもよいし、第２無線通信ＵＥデバイス１０６に直接送られてもよい。従って、第２ＵＥデバイスに送信されるＣＲＡ情報１２８は、ＣＲＡ情報送信信号１２８が状況次第で省略されてもよいことを示す破線の枠と共に図示されている。第２無線通信ＵＥデバイス１０６のためのＣＲＡ情報が、第１無線通信ＵＥデバイス１０４に送られる場合、第１無線通信ＵＥデバイス１０４は、Ｄ２Ｄ通信リンク１２４に関する制御信号を使用して、ＣＲＡ情報を第２無線通信ＵＥデバイス１０６に送る。ＣＲＡ情報１２６、１２８は、Ｄ２Ｄ接続１２４で無線通信デバイスに使用されるマクロセル通信リソース１２１からＤ２Ｄ時間・周波数リソース１２２を特定する。無線通信デバイス１０４は、ＣＲＡ情報１２６を受信し、基地局１０２を介した通信ではなく、他の無線通信デバイス１０６と端末間（Ｄ２Ｄ）信号１３０のやり取りのための通信リソース（時間・周波数通信リソース）を使用する。前述したように、オプションのＣＲＡ情報１２８が、Ｄ２Ｄ接続１２４のための下りリンク通信リソース１２２を特定するために、他の無線通信デバイス１０６に送られてもよい。後述にて詳細に説明するように、基地局は、端末間通信に割り当てられる下りリンクリソースを下りリンク通信に使用しない。なお、後述するように、例えば、制御情報及び復調情報などの追加情報が、Ｄ２Ｄリンク１２４を介して無線通信デバイス間でやり取りされてもよい。
【００２４】
従って、ここでの実施形態によれば、マクロセル通信リソースの一部が、必要に応じて、無線通信ＵＥデバイス１０４、１０６間の端末間（Ｄ２Ｄ）通信に割り当てられる。後述にて詳細に説明するように、Ｄ２Ｄ通信に割り当てられた下りリンク通信リソースが、下りリンク通信に使用されない場合。例えば、もし通信リソースが時間・周波数通信リソースである場合、非Ｄ２Ｄ無線通信ＵＥデバイスにサービスを提供する基地局１０２は、Ｄ２Ｄ通信リンクに割り当てられた時間領域及び周波数帯を使用しない。上りリンク通信リソースがＤ２Ｄ通信に割り当てられた場合、そのリソースは、Ｄ２Ｄ無線通信ＵＥデバイスペア間の通信が他のＤ２Ｄ無線通信ＵＥデバイスペア間の通信に干渉しないように割り当てられる。例えば、直交又は直交に近いリソースが、他の近くのＤ２Ｄデバイスペアに対して使用されてもよい。互いに十分離れたＤ２Ｄデバイスペアが、通信リソースを再使用して、干渉を回避できてもよい。例えば、各ペアのＤ２Ｄデバイスが互いに相対的に近いが、Ｄ２Ｄペアが互いに相対的に離れている場合、通信リソースの再使用が認められるように、各Ｄ２Ｄペアによって使用される送信電力レベルが十分低くてもよい。
【００２５】
後述にて詳細に説明するように、システム制御装置１０８が、ＵＥデバイス１０４と他のＵＥデバイス１０６との間にＤ２Ｄリンク１２４を確立すべきであると決定した後、通信リソース割当（ＣＲＡ）情報１２６は、基地局１０２からＵＥデバイス１０４に送られる。また、基地局１０２は、他のＵＥデバイス１０６から送信するためのＤ２Ｄ通信リソースを割り当てるために、通信リソース割当（ＣＲＡ）情報１２８を他のＵＥデバイス１０６に送ってもよい。ＵＥデバイス１０４、１０６は、割り当てられた通信リソースを使用して通信する。基地局は、互いに直接通信する必要があるＤ２Ｄデバイスペアである２つのＵＥデバイスを特定するので、基地局１４は、各ペアのＵＥデバイスを知っている。いくつかのＤ２ＤＵＥデバイスペアが基地局のカバレッジエリア内に存在できる。
【００２６】
図１Ｂは、規定された下りリンク通信リソースがＤ２Ｄ通信リソースにスケジュールされた場合の無線通信システムのブロック図である。従って、図１Ｂのシステム１００は、図１Ａのシステム１００の一例である。上述したように、通信システムは、基地局から無線通信ユーザ（ＵＥ）デバイスへの下りリンク通信のための下りリンク通信リソース１３２を利用し、ＵＥデバイスから基地局への上りリンク送信のための上りリンク通信リソース１３４を利用する。上りリンク通信リソースは、下りリンク通信リソースと異なる。
【００２７】
以下の例に応じて、下りリンク通信リソース１３２の一部は、必要に応じて、２つのＵＥデバイス間の端末間（Ｄ２Ｄ）通信に割り当てられる。Ｄ２Ｄ通信に割り当てられる通信リソース１３６は、下りリンク通信に使用されない。例えば、もし通信リソースが時間・周波数リソースである場合、非Ｄ２ＤＵＥデバイスにサービスを提供する基地局は、Ｄ２Ｄ通信リンクに割り当てられる時間領域及び周波数帯を使用しない。
【００２８】
上述のように、システム制御装置１０８が、ＵＥデバイスと他のＵＥデバイスとの間にＤ２Ｄリンクを確立すべきであると決定した後、通信リソース情報は、基地局からＵＥデバイスに送られる。また、基地局は、他のＵＥデバイスから送信するためのＤ２Ｄ通信リソースを割り当てるために、通信リソース情報を他のＵＥデバイスに送ってもよい。ＵＥデバイスは、割り当てられた通信リソースを使用して通信する。ここで説明するように、規定された下りリンク通信リソースは、基地局から無線通信デバイスへの下りリンク通信のために確保された通信リソースとして通信仕様に規定されている通信リソースであり、スケジュールされた下りリンク通信リソースは、基地局と無線通信デバイスとの間の下りリンク通信に割り当てられている（スケジュールされている）規定された下りリンク通信リソースの一部であり、Ｄ２Ｄ通信リソースは、無線通信デバイス間の端末間（Ｄ２Ｄ）通信のために割り当てられている（スケジュールされている）規定された下りリンク通信リソースの一部である。
【００２９】
２つの無線通信デバイスがＤ２Ｄ接続１２４を確立すべきであるとの決定に応じて、制御装置１０８は、通信リソース割当（ＣＲＡ）情報を送ることによって、Ｄ２Ｄ時間・周波数リソース１３６を無線通信デバイス１０４、１０６に割り当てる。その情報は、任意の数の制御信号及び／又はメッセージを用いて送信されてもよい。ＣＲＡ情報１２６、１２８は、Ｄ２Ｄ接続１２４で無線通信デバイスが使用する下りリンク通信リソース１３２からＤ２Ｄ時間・周波数リソース１３６を特定する。無線通信デバイス１０４は、ＣＲＡ情報を受信し、基地局１０２を介した通信ではなく他の無線通信デバイス１０６とＤ２Ｄ信号１３０をやり取りするために割り当てられた通信リソース（時間・周波数通信リソース）を使用する。状況によって、ＣＲＡ情報１２８は、Ｄ２Ｄ接続１２４のための下りリンク通信リソース１３６を特定する他の無線通信デバイス１０６に送られてもよい。後述にて詳細に説明するように、基地局は、Ｄ２Ｄ接続に割り当てられる下りリンクリソースを使用しない。なお、後述するように、例えば、制御情報及び復調情報などの追加情報が、Ｄ２Ｄリンク１２４を介して無線通信デバイス間でやり取りされてもよい。
【００３０】
図２は、端末間（Ｄ２Ｄ）リンク１２４が確立される場合の一例のためのメッセージタイミング図である。図２におけるイベント及び送信信号は、特定のシステム及び通信仕様によって決まる様々な方法で実行されてもよい。
【００３１】
第１デバイス１０４は、通信リソース割当要求２０２を基地局に送信する。第１デバイス１０４は、割り当てられた上りリンクチャネル（スケジュールされた上りリンクリソース）を使用して、第２デバイス１０６とのＤ２Ｄ通信のためのリソースを要求するメッセージ又は制御信号を送信する。
【００３２】
基地局は、イベント２０４でＤ２Ｄ通信をスケジュールする。スケジューラ１１２は、デバイス１０４、１０６がＤ２Ｄ通信に使用すべき時間・周波数リソースを特定する。
【００３３】
ＣＲＡ情報１２６は、第１デバイス１０４に送られ、オプション的に、ＣＲＡ情報１２８は、第２デバイス１０６に送られる。ＣＲＡ情報１２８は、使用すべき通信リソース、及び、２つのデバイス１０４、１０６間のＤ２Ｄ通信のための信号（変調次数、コーディングレート、ＭＩＭＯ設定など）の物理フォーマットを特定する。例えば、ＣＲＡ情報は、時間・周波数通信リソースを特定するタイミング及び周波数帯情報を含んでもよい。
【００３４】
第１ＵＥデバイスは、割り当てられた通信リソースを使用する第２デバイスに、Ｄ２Ｄ制御及びデータ情報２０６を送る。ＣＲＡ情報送信信号１２８が省略される状況では、第２ＵＥデバイスを対象とするＤ２Ｄ情報が、ＣＲＡ情報１２６で送られ、送信信号２０６におけるＤ２Ｄ制御チャネルで第２ＵＥデバイス１０６に転送される。
【００３５】
図３は、下りリンク周波数帯３０２における時間・周波数通信リソース３００の一例に関するグラフ表示である。通信リソースを効率的に使用するために、周波数スペクトルが、時間及び／又はコーディングによって分割される。例えば、ＯＦＤＭシステムでは、情報は、密集した直交する多数のサブキャリアシグナルを介して送信される。サブキャリア間のクロストークは、キャリアが直交であるため、最小限度に抑えられる。情報は、並列チャネルに分けられ、サブキャリアに割り振られる。各サブキャリアは、変調方式で変調される。サブキャリアもまた、複数のデバイスとの通信をさらに可能にするために時間で分割される。周波数及び時間の個々の分割は、異なる用語で呼ばれることがあるが、周波数における分割は、周波数サブキャリア３０３−３０９と呼ばれ、時間における分割は、時間領域３１０−３２０と呼ばれてもよい。時間領域及び周波数サブキャリアは、さらに纏められ、グループ化され、通信仕様及びシステム動作規則に従って特定されてもよい。そのリソースは、例えば、パターンが繰り返されるタイムスロット、フレーム、サブフレーム及びシンボル時間で構成されてもよい。図４を参照して、具体例を以下に説明する。また一方で、一般に、利用可能な下りリンクスペクトル３０２は、周波数及び時間に分割されて、その結果生じた時間・周波数リソースユニット３２１は、送信に割り当てられる。各時間・周波数リソースユニットは、個別に又はグループで割り当てられてもよい。例えば、送信は、１回目の送信３２２に関して、複数の周波数サブキャリア３０７、３０８にわたってただ一つの時間領域３１２に割り当てられ、２回目の送信３２３に関して、複数の周波数サブキャリア３０４、３０５及び複数の時間領域３１４、３１５にわたって割り当てられ、３回目の送信３２４に関して、複数の時間領域３１７−３１９にわたってただ一つの周波数帯３０３に割り当てられる。状況によっては、リソースユニットは、非継続的に割り当てられてもよい。例えば、送信３２２及び３２４は、送信のための単一のデバイスに割り当てられてもよい。
【００３６】
従来のシステムでは、下りリンク周波数帯の全ての時間・周波数通信リソースは、基地局から無線通信デバイスへの送信にのみ割り当てられる。しかしながら、ここでの例では、時間・周波数通信リソースの一部は、無線通信デバイス（ＵＥ）間の送信に割り当てられる。
【００３７】
図４は、３ＧＰＰ  ＬＴＥ通信仕様に従うサブフレーム４００の図である。サブフレーム４００は、２つのスロット４０２、４０４を含み、各スロットは、いくつかのシンボル時間４０６を含む。第１スロット４０２のシンボル時間０、１及び２は、仕様における物理下りリンク制御チャネル（ＰＤＣＣＨ）４０８である物理チャネルを形成する。パイロット信号（又は参照信号）４１０は、シンボル時間０及び４に挿入される。物理ブロードキャストチャネル（ＰＢＣＨ）４１２であり、且つ、第１スロット４０２のシンボル時間３及び４の一部と第２スロット４０４のシンボル時間０及び１の一部とにまたがるチャネルを、サブフレーム４００は含む。物理下りリンク共有チャネル（ＰＤＳＣＨ）４１４は、データチャネルを提供し、データチャネルは、第１スロット４０２のシンボル時間３−６及び第２スロット４０４のシンボル時間１−６の残りに覆われている。図４に記載のリソースユニットの配分及び割当は、１つの例として挙げられている。リソースブロック及びリソースエレメントの他の組み合わせが用いられてもよい。
【００３８】
図５は、３ＧＰＰ  ＬＴＥ通信使用に従って他の方法で動作するシステムにおいて用いられる端末間チャネル５０２、５０４を含むサブフレーム５００の一例の図である。従って、例となるサブフレーム５００は、例えば図４のサブフレーム４００などの従来の３ＧＰＰ  ＬＴＥサブフレームの変更バージョンである。サブフレーム５００は、現在の３ＧＰＰ  ＬＴＥ通信仕様で規定されていない２つのチャネル５０２、５０４を含む。端末間制御チャネル（Ｄ２ＤＣＣＨ）５０２は、ピアツーピアモードで動作する２つの無線通信デバイス１０４、１０６間の制御情報の送信を提供する。２つの無線通信デバイス１０４、１０６間のデータの送信に関する端末間データチャネル（Ｄ２ＤＤＣＨ）５０４。図５は、そのチャネルに関する周波数時間リソースの多くの割り当てのうちの一つのみを示す。従って、サブキャリア及びシンボル時間の他の組み合わせが、Ｄ２ＤＣＣＨ５０２及びＤ２ＤＤＣＨ５０４に用いられてもよい。従来のチャネルの一部は、Ｄ２Ｄ制御チャネルのリソースを提供するために省略されるかもしれないが、例えばＰＢＣＨ、ＰＳＳ／ＳＳＳ制御チャネルなどの参照信号は、下位互換性を維持するために保持される。例えば、Ｄ２Ｄリソースは、ＰＢＣＨ及び同期チャネル（ＰＳＳ／ＳＳＳ）を含むサブフレーム／スロットにスケジュールされない。Ｄ２Ｄデータ／制御内容は、サブフレームにおいて参照信号のために確保されたリソースに割り当てられない。
【００３９】
図６は、３ＧＰＰ  ＬＴＥ通信仕様に従って動作するシステムにおいて端末間リンク１２４が確立される場合の一例のメッセージタイミング図６００である。従って、メッセージタイミング図６００は、図２を参照して説明されたタイミング図２００の実装の一例である。
【００４０】
図６の例では、第１デバイス１０４は、複数の送信信号を用いて、基地局にＣＲＡ要求２０２を行う。物理上りリンク制御チャネル（ＰＵＣＣＨ）送信信号６０２を用いて、第１ＵＥデバイスは、Ｄ２Ｄリンクのためにリソースが要求されていることを示す。従来システムでは、上りリンクリソースが必要であることを示す１ビットフラグが規定されている。図６の例では、Ｄ２Ｄリソースが必要であることを示すＰＵＣＣＨ送信信号６０２に、追加の１ビットフラグが含まれる。ＰＵＣＣＨ送信信号６０２に応じて、基地局１０２は、所定の一連の物理上りリンク共有チャネル（ＰＵＳＣＨ）リソースを割り当てるためのスケジューリンググラントを含む物理下りリンク制御チャネル（ＰＤＣＣＨ）送信信号６０４を第１ＵＥデバイス１０４に返す。
【００４１】
第１ＵＳデバイス１０４は、割り当てられたＰＵＳＣＨリソースを用いて、バッファステータス及びパワーヘッドルームをＰＵＳＣＨ送信信号６０６で送信する。バッファステータスは、Ｄ２Ｄデータの量、及び、第２ＵＥデバイス１０６への送信のために第１ＵＥデバイス１０４が特定した当該データの優先度を示す。パワーヘッドルームは、最大ＵＥ送信電力と送信に必要な電力との電力差である。これは、またリンクの距離と干渉との作用でもある。パワーヘッドルームは、次の送信で使用するための変調／コーディングレート／ＭＩＭＯ設定／バンド幅にどれくらいの電力が使用可能であるかをｅＮＢに示す。第１ＵＥデバイス１０４は、第２ＵＥデバイス１０６を特定する情報も有する。
【００４２】
スケジューラ１１２は、イベント２０４で、Ｄ２Ｄリンク１２４のための通信リソースを割り当てる。当該割り当ては、２つのＵＥデバイス１０４、１０６間のチャネル状況と、基地局とそれらＵＥと間の下りリンクチャネル状況とを考慮して割り当てられることを除いて従来のスケジューラ機能と同様である。チャネル状況を決定するための適切な技術の例は、事件整理番号ＴＵＴＬ  ００２１２で、「マクロセル通信リソースを使用する端末間サウンディング参照信号の送信（ＴＲＡＮＳＭＩＳＳＩＯＮ  ＯＦ  ＤＥＶＩＣＥ  ＴＯ  ＤＥＶＩＣＥ  ＳＯＵＮＤＩＮＧ  ＲＥＦＥＲＥＮＣＥ  ＳＩＧＮＡＬＳ  ＵＳＩＮＧ  ＭＡＣＲＯＣＥＬＬ  ＣＯＭＭＵＮＩＣＡＴＩＯＮ  ＲＥＳＯＵＲＣＥＳ）」と題され、本願と同時に出願され、参照によりこれの全体が本明細書に組み込まれた特許出願番号＿で説明されている。
【００４３】
ＣＲＡ情報１２６は、基地局１０２によって第１無線通信デバイス１０４にＰＤＣＣＨ送信信号６０８で送られる。ＰＤＣＣＨ送信信号６０８は、そのパラメータがマクロセル通信の代わりにＤ２Ｄリンク１２４に割り当てられたリソースに関連していることを除いて従来のＰＤＣＣＨと同様である。例えば、ＰＤＣＣＨは、周波数／時間枠のリソース割当、物理フォーマット（例えば、ＭＣＳ，ＭＩＭＯパラメータなど）、電力制御コマンド、Ｄ２Ｄタイプを示すフラグ及び他の送信関連情報を示す。
【００４４】
状況によって、第２ＣＲＡ情報送信信号１２８は、基地局１０２によって、第２無線通信ＵＥデバイス１０６にＰＤＣＣＨ送信信号６１０で送られる。その情報がＤ２Ｄ制御チャネル送信信号６１２によって第２無線通信ＵＥデバイスに送られてもよいので、第２ＣＲＡ情報送信１２８は、オプションである。
【００４５】
Ｄ２Ｄ制御情報及びデータは、Ｄ２ＤＤＣＨ／Ｄ２ＤＣＣＨ送信信号６１２でＤ２ＤＤＣＨ及びＤ２ＤＣＣＨを使用して、第１無線通信デバイス１０４から第２無線通信デバイスに送られる。例えば、ＰＤＣＣＨ送信信号６１０及びＤ２ＤＤＣＨ／Ｄ２ＤＣＣＨ送信信号６１２は同一サブフレームで送られる。
【００４６】
第２無線通信デバイス１０６は、イベント６１４で、第１無線通信デバイス１０４による第２無線通信デバイス１０６へのＤ２Ｄ送信信号に使用される予定の時間周波数リソースを決定するために、ＰＤＣＣＨ、Ｄ２ＤＤＣＨ及びＤ２ＤＣＣＨをデコードする。ＣＲＡ情報は、ＡＣＫに使用するリソースを明確にする。上述のように、ＣＲＡ情報は、基地局１０２から直接与えられてもよいし、Ｄ２ＤＣＣＨ送信信号６１２で第１ＵＥデバイス１０４によって転送されてもよい。
【００４７】
ＰＤＣＣＨ送信信号６１６は、Ｄ２Ｄ通信リンクのための下りリンク割当情報を与える第１通信ＵＥデバイス１０４へ基地局１０２から送られる。従って、ＰＤＣＣＨ送信信号６１６は、第２ＵＥデバイス１０６からのＡＣＫ送信信号を第１ＵＥデバイス１０４に受信させるために、第１ＵＥデバイス１０４に情報を与える。ＰＤＣＣＨ６１６は、オプションである。或いは、第１ＵＥ１０４は、ＰＤＣＣＨ送信信号６１０又はＤ２ＤＣＣＨ送信信号６１２で第２ＵＥデバイス１０６に示されたリソース（時間／サブキャリア）でのＡＣＫを期待できる。
【００４８】
肯定応答（ＡＣＫ）送信６１８は、第２無線通信ＵＥデバイス１０６から、Ｐ２Ｐ送信６０８の受信を確認する第１無線通信デバイス１０４に送られる。ＡＣＫ送信は、第２無線通信デバイス１０６に割り当てられたＤ２ＤＡＣＫＣＨを使用して送られる。
【００４９】
図７は、３ＧＰＰ  ＬＴＥ通信仕様に従う基地局（ｅＮＢ）１０２及び無線通信デバイス１０４、１０６（ＵＥ）からの送信信号７０２、７０４、７０６の図である。
【００５０】
図７の例では、ｅＮＢ送信信号７０２は、Ｐ２Ｐ通信にリソースを割り当てるＰ２Ｐ制御情報を含むＰＤＣＣＨを有するサブフレームｎ  ７０８から開始する。従って、ＣＲＡ情報送信１２６は、ＰＤＣＣＨ内で送信される。Ｄ２Ｄ制御情報（ＣＲＡ情報１２６）は、次のサブフレームで第１無線通信デバイス（ＵＥ１）がＤ２Ｄ送信に使用するために、ＵＥ１に向けられている。例えば、サブフレームｎ  ７０８のＤ２Ｄ制御情報は、サブフレームｎ＋４  ７１０のＤ２Ｄ送信のための通信リソースを特定する。また一方で、Ｄ２Ｄ制御情報は、他のサブフレームの通信リースを特定してもよい。Ｄ２Ｄ制御情報は、第２ＵＥへのＤ２Ｄ制御メッセージの送信に使用されるサブキャリア及びシンボル時間と、第２ＵＥへのＤ２Ｄデータの送信に使用されるサブキャリア及びシンボル時間とを第１ＵＥデバイスに示す。従って、ＰＤＣＣＨのＣＲＡ情報１２６は、Ｄ２ＤＤＣＨ５０２及びＤ２ＤＣＣＨ５０４を特定する。
【００５１】
他のサブフレームのＰＤＣＣＨ４０８は、第２ＵＥへＤ２Ｄ通信リソースを割り当てるＣＲＡ情報１３０を含む。例えば、ＣＲＡ情報１３０は、サブフレームｎ＋４  ７０８で送信され、サブフレームｎ＋８  ７１０で第２ＵＥに使用されるＤ２Ｄリソースを割り当てる。状況次第で他のサブフレームを使用することができる。従って、サブフレームｎ＋４  ７０８のＰＤＣＣＨのＣＲＡ情報１３０は、サブフレームｎ＋８  ７１０の第２ＵＥのためのＤ２ＤＤＣＨ５０２及びＤ２ＤＣＣＨ５０４を特定する。他のＣＲＡ情報１２８、１３０は、必要に応じて、未来のサブフレームで送信される。
【００５２】
従って、ｅＮＢは、ＵＥ間のＤ２Ｄ通信のための下りリンク通信リソース１２２を割り当てるＰＤＣＣＨで、制御信号を送る。それらのＵＥは、割り当てられた下りリンク通信リソースを使用して、制御信号及びデータを互いに送信し合う。図７では、Ｄ２Ｄサブフレーム７１０、７１２でのｅＮＢ送信信号７０２は、ＵＥが下りリンクチャネルで送信している時間に関してブランクである。しかしながら、状況によっては、ｅＮＢ送信信号７０４は、Ｄ２Ｄ通信に割り当てられた時間・周波数リソースについてのみブランクである。従って、ｅＮＢは、Ｄ２Ｄ通信サブフレームでＤ２Ｄ通信に割り当てられていない下りリンク通信リソースをＵＥへの送信に使用できる。
【００５３】
図８は、無線通信ＵＥデバイスの送受信機８００の一例のブロック図である。送受信機８００は、無線周波数コンポーネント８０６及びベースバンドプロセッサ８０８で実装される送信機８０２及び受信機８０４を含む。送信機８０２は、ベースバンドプロセッサ８０８及びＳＣ−ＦＤＭＡ  ＲＦコンポーネント８１２によって形成されるＳＣ−ＦＤＭＡ送信チェイン８１０を含む。受信機８０４は、ＯＦＤＭ  ＲＦコンポーネント８１６及びベースバンドプロセッサ８０８によって形成されるＯＦＤＭ受信チェイン８１４を含む。少なくとも送信機８０２が下りリンク周波数帯１２２内で信号を送信するＯＦＤＭ送信チェイン８１８を含む点で、送受信機８００は、従来の送受信機と異なる。ＯＦＤＭ送信チェインは、基地局プロセッサ８０８及びＯＦＤＭ  ＲＦコンポーネント８２０によって形成される。以下で説明するように、ＯＦＤＭ送信チェイン８１８は、状況によって、受信機８０４のＯＦＤＭ  ＲＦコンポーネント８１６の一部に実装されてもよい。ＯＦＤＭ送信チェイン８１８及びＯＦＤＭ送信チェイン８１４の両方とも下りリンク周波数帯で動作するため、ＲＦコンポーネントの一部が当該チェイン１１４、１１８によって共有されてもよい。
【００５４】
図９は、送受信機８００の実装の一例のブロック図である。上述で説明したように、少なくとも送信機８０３が下りリンク周波数帯１２２内で信号を送信するＯＦＤＭ送信チェイン８１８を含む点で、送受信機８００は、従来の送受信機と異なる。ＯＦＤＭ送信チェイン８１８は、別々のコンポーネントに実装されてもよいが、例えば、受信機８０４のコンポーネントの一部が、ＯＦＤＭ送信チェイン８１８に使用されてもよい。ＯＦＤＭ送信チェイン８１８及び受信チェイン８１４の両方とも下りリンク周波数帯で動作するため、例えば、位相ロックループ（ＰＬＬ）９０２及び下りリンク局部発振器９０４などのコンポーネントが、ＯＦＤＭ受信機８０４及びＯＦＤＭ送信チェイン８１８の両方に使用できる。
【００５５】
送信機８０２は、また、上りリンク信号を送信するために単一波周波数分割多元接続（ＳＣ−ＦＤＭＡ）送信チェイン８１０を含む。ＳＣ−ＦＤＭＡ送信機チェイン８１０は、ＯＦＤＭ送信チェイン８１８と一体化されたことを受け入れる従来の送受信機と同様である。マルチプレクサ（ＭＵＸ）９０６は、送信のための適切なデータストリームの選択を可能にする。高速フーリエ変換処理９０８は、ＭＵＸ９０６の入力に送られる前の上りリンクデータに適用される。上りリンクデータが送信される場合に、ＭＵＸ９０６は、ＦＦＴプロセッサ９０８の出力に対応する入力を選択し、マッピング処理９１０へデータストリームを転送する。ＳＣ−ＦＤＭＡ無線周波数（ＲＦ）チェイン８１０は、上りリンクデータが送信される場合に選択される。Ｄ２Ｄデータが送信される予定である場合、ＭＵＸ９０８は、マッピング処理９１０へデータストリームを転送し、ＯＦＤＭ  ＲＦチェイン８１８が選択される。
【００５６】
送受信機電子機器の様々な機能が、機能ブロックで説明される。当業者は、例えば、デバイス、回路及び／又はコードを使用する送受信電子機器の電子機器に機能を実装するための様々な方法を認めるだろう。データビットのグループを、ＭＡＣレイヤから受信したデータストリームから取得できる。このストリームは、後にコード化され、複数のコードワードを形成するように変調できる複数のストリームに多重化できる。チャネルコード化信号は、マッピングが実行される前に、スクランブル及び変調される。通常、１対１のマッピングは、コードワードに使用できる。しかしながら、レイヤの数が送信されるコードワードよりも多い場合、マッピング処理９１０は、２以上のレイヤに同じコードを割り当てる。レイヤの数は、ＲＦ送信チェイン及びアンテナの数に依存する。
【００５７】
パイロット信号は、並列データに挿入され、逆高速フーリエ変換（ＩＦＦＴ）処理は、ＩＦＦＴ機能９１２によって適用される。Ｐ／Ｓ（並列から直列）及びその次のサイクリックプレフィックスは、Ｐ／Ｓ＋ＣＰ機能９１４によって加えられる。デジタル・アナログ変換器（ＤＡＣ）９１６は、結果として生じた信号を、アンテナ９１８を介した送信の前に、ＯＦＤＭ  ＲＦコンポーネント８２０及びＳＣ−ＦＤＭＡ  ＲＦコンポーネント８１２のいずれかに処理されるアナログ信号に変換する。
【００５８】
ＤＡＣ９１６から送られた信号をアップ・コンバートし、それを上りリンク周波数帯において適切で且つより高周波数にシフトする上りリンクミキサ９２６に上りリンク局部発振器（ＵＰ  ＬＯ）信号９２２を送る位相ロックループ（ＰＬＬ）９２０及び上りリンク局部発振器９２２を、ＳＣ−ＦＤＭＡ  ＲＦコンポーネント８１２は含む。多くのフィルタ９２８のうちの一つは、当該信号をフィルタにかけ、電力増幅器９３０は、アップ・コンバートされた信号を増幅する。フィルタリングは、ＲＦ送信チェインに従って様々な点で実行される。結果として増幅され且つフィルタにかけられた信号は、送信のためのアンテナ９１８に当該信号をつなぐデュプレクサ９３２に送られる。
【００５９】
Ｄ２Ｄデータが送信され、且つＯＦＤＭ  ＲＦコンポーネント８２０が選択された場合、ＤＡＣ９１６の出力は、下りリンク周波数帯にアップ・コンバートされる。下りリンクＰＬＬ９０２及び下りリンク発信器９０４は、下りリンクＬＯ信号９３４を発生させ、下りリンク送信ミキサ９３６に送る。Ｄ２Ｄデータを運ぶＤＡＣ出力は、下りリンクＬＯ信号９３４と混合され、下りリンク周波数帯１２２内の周波数にシフトされる。多くのフィルタ９３８のうちの一つは、当該信号をフィルタにかけ、電力増幅器９４０は、その信号を増幅する。フィルタリングは、ＲＦ送信チェインに従って様々な点で実行される。結果として増幅され且つフィルタにかけられた信号は、当該信号を送信のためのアンテナ９１８につなぐデュプレクサ９３２に送られる。当該信号は、下りリンク周波数帯内であるため、デュプレクサ９３２の下りリンク部分９４２に入れられる。
【００６０】
下りリンク受信機８０４は、アンテナ９１８及びデュプレクサ９３２を介して下りリンク信号を受信する。低雑音増幅器９４４は、１以上のフィルタ９４６によって信号がフィルタにかけられる前に振幅を増加する。入力された信号をダウン・コンバートし、当該信号をベースバンドにシフトするために、下りリンクＬＯは、下りリンク受信ミキサ９４８で、フィルタにかけられた信号と混合される。アナログ・デジタル変換器（ＡＤＣ）９５２が、当該信号をベースバンドＯＦＤＭ受信機８５４によって処理可能なデジタル信号に変換する前に、付加的なフィルタ９５０は、当該信号をフィルタにかける。
【００６１】
この発明の他の実施形態及び変更例が、これらの技術の観点から当業者によって容易に思いつくのは明らかであろう。上述の説明は、実例であり、限定的なものではない。この発明は、上述の明細書及び添付の図面と併せて見た場合の全てのそのような実施形態及び変更例を含む以下の請求項によってのみ制限されるべきである。従って、発明の範囲は、上述の説明を参照して決定すべきではなく、代わりに、均等物の全範囲に加えて添付の請求項を参照して決定すべきである。
【図１Ａ】
0006034987.tif 000002
【図１Ｂ】
0006034987.tif 000003
【図２】
0006034987.tif 000004
【図３】
0006034987.tif 000005
【図６】
0006034987.tif 000006
【図７】
0006034987.tif 000007
【図８】
0006034987.tif 000008
【図９】
0006034987.tif 000009
【図４】
0006034987.tif 000010
【図５】
0006034987.tif 000011